(57)【要約】【課題】唐箕の選別風が容易に流出することができるとともに、排出口から排出された脱穀処理物に唐箕の選別風がかかることによる、脱穀処理物の舞い上がりを低減することができる普通型コンバインを提供することを目的とする。【解決手段】扱胴１１と、扱胴１１による脱穀処理物に選別風を供給する唐箕と、扱胴１１の後方で扱胴１１による脱穀処理物を排出する排出口６０と、扱胴１１の後方で唐箕の選別風が流出する、排出口６０とは別の流出口６１と、を備える。【選択図】図１０
2013183656.tif 000002
【特許請求の範囲】
【請求項１】
扱胴と、
前記扱胴による脱穀処理物に選別風を供給する唐箕と、
前記扱胴の後方で前記扱胴による脱穀処理物を排出する排出口と、
前記扱胴の後方で前記唐箕の選別風が流出する、前記排出口とは別の流出口と、を備える普通型コンバイン。
【請求項２】
前記扱胴の回転軸の方向は、機体前後方向であり、
前記流出口は、脱穀部における機体左右方向の全長に亘るように構成されている請求項１に記載の普通型コンバイン。
【請求項３】
前記扱胴の下方で前記扱胴による脱穀処理物を揺動選別する揺動選別装置を備え、
前記流出口は、前記揺動選別装置に備えられたシーブケースの上方に配置されている請求項１又は請求項２に記載の普通型コンバイン。
【請求項４】
前記流出口は、前記排出口の上方に配置されている請求項１から請求項３までのいずれか一項に記載の普通型コンバイン。
【請求項５】
前記流出口は、下方に向いて開口するように構成されている請求項１から請求項４までのいずれか一項に記載の普通型コンバイン。
【請求項６】
前記排出口は、下方に向いて開口するように構成されている請求項１から請求項５までのいずれか一項に記載の普通型コンバイン。
【請求項７】
前記排出口の下方で前記扱胴による脱穀処理物を切断する切断装置を備える請求項１から請求項６までのいずれか一項に記載の普通型コンバイン。
【請求項８】
前記流出口は、前記切断装置の上方に配置されている請求項７に記載の普通型コンバイン。
【請求項９】
前記扱胴による脱穀処理物を前記排出口に案内するとともに、前記唐箕の選別風を前記流出口に案内する案内部材を備える請求項１から請求項８までのいずれか一項に記載の普通型コンバイン。
【請求項１０】
前記案内部材を挟んで、前側に前記排出口が配置され、後側に前記流出口が配置されている請求項９に記載の普通型コンバイン。
【請求項１１】
前記案内部材は、前下がりの斜めに形成されて前記扱胴による脱穀処理物を前記排出口に案内する前案内部を備える請求項１０に記載の普通型コンバイン。
【請求項１２】
前記案内部材は、後下がりの斜めに形成されて前記唐箕の選別風を前記流出口に案内する後案内部を備える請求項１０又は請求項１１に記載の普通型コンバイン。
【発明の詳細な説明】
【技術分野】
【０００１】
本発明は、普通型コンバインに関する。より詳細には、扱胴と、扱胴による脱穀処理物に選別風を供給する唐箕と、扱胴の後方で扱胴による脱穀処理物を排出する排出口と、を備える普通型コンバインに関する。
【背景技術】
【０００２】
例えば、特許文献１に記載の普通型コンバインでは、扱胴の後方に排出口が備えられている。排出口からは、唐箕の選別風が流出されるとともに、排藁等の脱穀処理物が排出される。
【先行技術文献】
【特許文献】
【０００３】
【特許文献１】特開２０１０−２２０５６３号公報
【発明の概要】
【発明が解決しようとする課題】
【０００４】
しかしながら、特許文献１に記載の普通型コンバインでは、単一の排出口から、唐箕の選別風が流出されるとともに、脱穀処理物が排出される。このため、扱胴による脱穀処理物の増加に伴って、排出口から排出される脱穀処理物の量が多くなると、排出口に向かって流れる唐箕の選別風に対して、排出口付近の脱穀処理物が障害になる。したがって、排出口から唐箕の選別風が流出し難くなる。
【０００５】
また、排出口から排出された脱穀処理物に対して、流出口から流出した唐箕の選別風が直接的にかかる。したがって、排出口から排出された脱穀処理物に含まれる塵や埃等が、唐箕の選別風によって舞い上がり易い。
【０００６】
本発明は以上の如き状況に鑑みてなされたものであり、唐箕の選別風が容易に流出することができるとともに、排出口から排出された脱穀処理物に唐箕の選別風がかかることによる、脱穀処理物の舞い上がりを低減することができる普通型コンバインを提供することを目的とする。
【課題を解決するための手段】
【０００７】
本発明に係る普通型コンバインの特徴構成は、扱胴と、前記扱胴による脱穀処理物に選別風を供給する唐箕と、前記扱胴の後方で前記扱胴による脱穀処理物を排出する排出口と、前記扱胴の後方で前記唐箕の選別風が流出する、前記排出口とは別の流出口と、を備える、ことにある。
【０００８】
本特徴構成によると、流出口に向かって流れる唐箕の選別風に対して、排出口付近の脱穀処理物が障害になり難い。したがって、流出口から唐箕の選別風が容易に流出することができる。また、排出口から排出された脱穀処理物に対して、流出口から流出した唐箕の選別風が直接的にかからない。したがって、排出口から排出された脱穀処理物に唐箕の選別風がかかることによる、脱穀処理物の舞い上がりを低減することができる。
【０００９】
本発明に係る普通型コンバインの更なる特徴構成は、前記扱胴の回転軸の方向は、機体前後方向であり、前記流出口は、脱穀部における機体左右方向の全長に亘るように構成されている、ことにある。
【００１０】
本特徴構成によると、脱穀部における機体左右方向の全長に亘って流れている唐箕の選別風が、その状態のままで流出口から流出する。したがって、流出口から唐箕の選別風が容易に流出することができる。
【００１１】
本発明に係る普通型コンバインの更なる特徴構成は、前記扱胴の下方で前記扱胴による脱穀処理物を揺動選別する揺動選別装置を備え、前記流出口は、前記揺動選別装置に備えられたシーブケースの上方に配置されている、ことにある。
【００１２】
本特徴構成によると、シーブケースの終端部から流出口に向かって斜め上方に流れる唐箕の選別風が、流出口から直接的に流出する。したがって、流出口から唐箕の選別風が容易に流出することができる。
【００１３】
本発明に係る普通型コンバインの更なる特徴構成は、前記流出口は、前記排出口の上方に配置されている、ことにある。
【００１４】
本特徴構成によると、流出口に向かって斜め上方に流れる唐箕の選別風に対して、排出口付近の脱穀処理物が障害になり難い。したがって、流出口から唐箕の選別風が容易に流出することができる。
【００１５】
本発明に係る普通型コンバインの更なる特徴構成は、前記流出口は、下方に向いて開口するように構成されている、ことにある。
【００１６】
本特徴構成によると、唐箕の選別風が流出口から下方に向かって流出する。これにより、機体後方に作業者がいる場合に、唐箕の選別風が流出口から作業者に向かって流出しない。したがって、塵や埃等を含む唐箕の選別風が作業者にかかるのを低減することができる。
【００１７】
本発明に係る普通型コンバインの更なる特徴構成は、前記排出口は、下方に向いて開口するように構成されている、ことにある。
【００１８】
本特徴構成によると、脱穀処理物が排出口から下方に向かって排出される。これにより、機体後方に作業者がいる場合に、脱穀処理物が排出口から作業者に向かって排出されない。したがって、塵や埃等の脱穀処理物が作業者にかかるのを低減することができる。
【００１９】
本発明に係る普通型コンバインの更なる特徴構成は、前記排出口の下方で前記扱胴による脱穀処理物を切断する切断装置を備える、ことにある。
【００２０】
本特徴構成によると、排出口から排出されて落下した脱穀処理物が、切断装置に直接的に供給される。したがって、排出口から排出された脱穀処理物を切断装置によって効率良く切断することができる。
【００２１】
本発明に係る普通型コンバインの更なる特徴構成は、前記流出口は、前記切断装置の上方に配置されている、ことにある。
【００２２】
本特徴構成によると、流出口に向かって斜め上方に流れる唐箕の選別風に対して、切断装置が障害になり難い。したがって、流出口から唐箕の選別風が容易に流出することができる。
【００２３】
本発明に係る普通型コンバインの更なる特徴構成は、前記扱胴による脱穀処理物を前記排出口に案内するとともに、前記唐箕の選別風を前記流出口に案内する案内部材を備える、ことにある。
【００２４】
本特徴構成によると、脱穀処理及び唐箕の選別風が、案内部材によってそれぞれ排出口側と流出口側とに区別されて案内される。したがって、排出口からは脱穀処理物を確実に排出することができるとともに、流出口からは唐箕の選別風を確実に流出させることができる。
【００２５】
本発明に係る普通型コンバインの更なる特徴構成は、前記案内部材を挟んで、前側に前記排出口が配置され、後側に前記流出口が配置されている、ことにある。
【００２６】
本特徴構成によると、唐箕の選別風が案内部材によって流出口に案内される前に、脱穀処理物が唐箕の選別風によって案内部材まで運ばれる。これにより、唐箕の選別風が脱穀処理物を案内部材まで運ぶ前に、流出口から流出することがない。したがって、脱穀処理物を排出口から確実に排出することができる。
【００２７】
本発明に係る普通型コンバインの更なる特徴構成は、前記案内部材は、前下がりの斜めに形成されて前記扱胴による脱穀処理物を前記排出口に案内する前案内部を備える、ことにある。
【００２８】
本特徴構成によると、脱穀処理物が、前案内部の前下がりの斜め面に沿って、排出口に案内される。したがって、脱穀処理物を排出口から確実に排出することができる。
【００２９】
本発明に係る普通型コンバインの更なる特徴構成は、前記案内部材は、後下がりの斜めに形成されて前記唐箕の選別風を前記流出口に案内する後案内部を備える、ことにある。
【００３０】
本特徴構成によると、唐箕の選別風が、後案内部の後下がりの斜め面に沿って、流出口に案内される。したがって、唐箕の選別風を流出口から確実に流出させることができる。
【図面の簡単な説明】
【００３１】
【図１】普通型コンバインを示す側面図。
【図２】普通型コンバインを示す平面図。
【図３】脱穀部及び選別部を示す側面断面図。
【図４】脱穀部を示す正面断面図。
【図５】排出板を示す斜視図。
【図６】張出部を示す斜視図。
【図７】選別部の後部を示す側面断面図。
【図８】扱胴の回転軸の軸受部を示す平面断面図。
【図９】揺動軸を示す平面図。
【図１０】脱穀部及び選別部の後部並び切断部を示す側面断面図。
【発明を実施するための形態】
【００３２】
以下、本発明を実施するための形態について図面に基づき説明する。
【００３３】
先ず、普通型コンバインの全体構成について、図１及び図２により説明する。
【００３４】
図１及び図２に示すように、普通型コンバインは、機体を走行させる右及び左の前輪１Ｆ並びに右及び左の後輪１Ｒを有する走行部１を備えている。走行部１の上部には、機体フレーム２が備えられている。機体フレーム２の前方には、穀稈を刈り取る刈取部３が備えられている。刈取部３の後側には、刈り取った穀稈を搬送するフィーダ４が備えられている。また、機体フレーム２上には、脱穀処理物を選別する選別部５が備えられている。選別部５の右方には、動力源となるエンジンＥが備えられている。選別部５の上側には、穀稈を脱穀する脱穀部６が備えられている。脱穀部６の上方には、選別後の穀粒を貯留するグレンタンク７が備えられている。脱穀部６の後側には、排藁等の脱穀処理物を切断して機外へ排出する切断部８が備えられている。脱穀部６の前方には、オペレータが搭乗するキャビン９が備えられている。キャビン９には、オペレータが着座する運転席１０、ステアリングハンドル９ａ及び図示しない操作ペダルや操作レバー等の操作具類が備えられている。
【００３５】
次に、脱穀部６及び選別部５について、図３から図７により説明する。
【００３６】
図３及び図４に示すように、脱穀部６は、扱胴１１と、扱室１４と、受網１２と、送塵弁１３と、を備えている。
【００３７】
扱胴１１は、穀稈を脱穀する。扱胴１１は、本実施形態では、籠型（バータイプ）に構成されている。扱胴１１は、回転軸１１ａと、前取付板１５及び後取付板１６と、螺旋１７と、三枚の仕切板１８と、六本のバー１９と、を備えている。
【００３８】
扱胴１１は、機体前後方向の回転軸１１ａを介して、扱室１４に回転可能に支持されている。扱室１４は、扱胴１１を有する。扱胴１１の回転軸１１ａの方向は、機体前後方向であり、扱胴１１の回転軸１１ａと直交する方向は、機体左右方向である。扱胴１１は、正面視において時計回り方向に回転するように構成されている。
【００３９】
前取付板１５は、回転軸１１ａの前端部に固定されている。後取付板１６は、回転軸１１ａの後端部に固定されている。前取付板１５及び後取付板１６は、いずれも正面視において略円形状に形成されている。螺旋１７は、前取付板１５の前面に設けられている。
【００４０】
仕切板１８は、回転軸１１ａにおける前取付板１５と後取付板１６との間に固定されている。具体的には、仕切板１８は、機体前後方向における回転軸１１ａを略四等分する位置に固定されている。仕切板１８は、正面視において略円形状に形成されている。仕切板１８の外周には、六つの嵌合凹部１８ａが略等角度間隔で形成されている。
【００４１】
バー１９は、仕切板１８の嵌合凹部１８ａに嵌め込まれている。バー１９は、取付部１９ｂを介して、前取付板１５、後取付板１６及び仕切板１８に固定されている。バー１９は、扱胴１１の径外方向に突出する多数の扱歯１９ａを備えている。
【００４２】
受網１２は、脱穀処理物を漏下選別する。受網１２は、扱胴１１の下方周囲を覆う正面視において略Ｕ字形状に形成されている。受網１２の左上端部側には、扱胴１１による脱穀処理物を受網１２の下方に案内する図示しない案内板が設けられている。
【００４３】
送塵弁１３は、脱穀処理物を扱室１４の穀稈出口側に案内する角度調節可能なものである。送塵弁１３は、扱胴１１の上部を覆う開閉可能な天井カバー４８の内面に取り付けられている。天井カバー４８の右端部は、機体前後方向の揺動軸４８ａに揺動可能に支持されている。天井カバー４８の左端部は、固定具４９で固定可能に構成されている。これにより、天井カバー４８は、固定具４９の固定を解除することで、揺動軸４８ａを支点にして開閉可能となる。
【００４４】
図３に示すように、選別部５は、揺動選別装置２３と、唐箕２０と、一番回収部２７と、二番回収部２８と、を備えている。
【００４５】
揺動選別装置２３は、受網１２から漏下した脱穀処理物を後方に移送しながら揺動選別する。揺動選別装置２３は、シーブケース２９と、グレンパン３０と、前チャフシーブ３１と、ストローラック３２と、グレンシーブ３３と、後チャフシーブ３４と、を備えている。
【００４６】
シーブケース２９は、偏心カム式の揺動機構３５によって前後揺動するように構成されている。シーブケース２９の上部側には、前方から順にグレンパン３０、前チャフシーブ３１及びストローラック３２が設けられている。シーブケース２９の下部側には、前方から順にグレンシーブ３３及び後チャフシーブ３４が設けられている。
【００４７】
グレンパン３０は、シーブケース２９とともに前後揺動することで、受網１２からの脱穀処理物を比重差選別し、比重の小さい藁屑等の塵埃と比重の大きい穀粒とに上下に層分けしながら、後方の前チャフシーブ３１に移送するように構成されている。
【００４８】
前チャフシーブ３１は、機体前後方向に所定間隔をあけて整列された複数の前チャフリップ板３１ａを備えている。前チャフシーブ３１は、シーブケース２９とともに前後揺動することで、受網１２及びグレンパン３０からの脱穀処理物を篩い選別し、穀粒等を前チャフリップ板３１ａの間から漏下させながら、前チャフリップ板３１ａの間から漏下しなかった脱穀処理物を後方のストローラック３２に移送するように構成されている。
【００４９】
ストローラック３２は、機体左右方向に所定間隔をあけて整列された複数のラック板３２ａを備えている。ストローラック３２は、シーブケース２９とともに前後揺動することで、穀粒等をラック板３２ａの間から漏下させながら、ラック板３２ａの間から漏下しなかった藁屑等を後端部から落下させるように構成されている。
【００５０】
グレンシーブ３３は、シーブケース２９とともに前後揺動することで、前チャフシーブ３１からの穀粒等を篩い選別し、単粒化穀粒を一番物として漏下させながら、漏下しなかった枝梗付き穀粒等を二番物として藁屑等とともに後方の後チャフシーブ３４に移送するように構成されている。
【００５１】
後チャフシーブ３４は、機体前後方向に所定間隔をあけて整列された複数の後チャフリップ板３４ａを備えている。後チャフシーブ３４は、シーブケース２９とともに前後揺動することで、グレンシーブ３３からの枝梗付き穀粒等を篩い選別し、枝梗付き穀粒等を二番物として後チャフリップ板３４ａの間から漏下させながら、後チャフリップ板３４ａの間から漏下しなかった長い藁等を後方に搬送するように構成されている。
【００５２】
唐箕２０は、主唐箕２４と、副唐箕２５と、二番唐箕２６と、を備えている。主唐箕２４は、脱穀処理物を選別するための選別風を揺動選別装置２３の下部に供給する。副唐箕２５は、脱穀処理物を選別するための選別風を揺動選別装置２３の上部に供給する。二番唐箕２６は、脱穀処理物を選別するための選別風を揺動選別装置２３の後部に供給する。
【００５３】
一番回収部２７は、揺動選別装置２３の前部側から漏下して選別風を受けながら落下する単粒化穀粒を一番物として回収する。二番回収部２８は、揺動選別装置２３の後部側から漏下して選別風を受けながら落下する枝梗付き穀粒等を二番物として回収する。
【００５４】
図５に示すように、受網１２の後端部には、受網１２からの脱穀処理物を排出する排出板７０が設けられている。排出板７０は、水平部７０ａと、傾斜部７０ｂと、円弧部７０ｃと、を備えている。水平部７０ａは、受網１２の後端部に連なって略水平に形成されている。傾斜部７０ｂは、水平部７０ａの後端部に連なって後下がりの斜めに形成されている。円弧部７０ｃは、水平部７０ａに形成されている。円弧部７０ｃは、受網１２の形状に沿って正面視において略円弧状に形成されている。これにより、受網１２からの脱穀処理物が、排出板７０における円弧部７０ｃに沿って、円滑に排出されるようにしている。
【００５５】
図６に示すように、扱胴１１の後側には、右及び左の張出部７１が設けられている。右及び左の張出部７１同士は、連結板７２で連結されている。張出部７１は、後方に張り出すように略直方体状に形成されている。張出部７１は、天板７１ａと、右及び左の側板７１ｂと、後板７１ｃと、を備えている。張出部７１の前部及び底部は、それぞれ前方及び下方に開口するように構成されている。張出部７１の前部の開口部からは、扱胴１１による脱穀処理物が張出部７１内に送り込まれる。張出部７１の底部の開口部からは、張出部７１内の脱穀処理物が下方に排出される。これにより、張出部７１が右及び左のいずれか一方に設けられている場合よりも大量の脱穀処理物を、右及び左の両方に張出部７１によって排出することができるようにしている。
【００５６】
図７に示すように、後チャフシーブ３４の後端部は、図７に示すΔＨだけ、前チャフシーブ３１の後端部より上方に配置されている。これにより、後チャフシーブ３４の後端部の高さが、シーブケース２９の後端部の高さと同程度になり、後チャフリップ板３４ａの間から漏下しなかった長い藁等を、後チャフシーブ３４の後端部からシーブケース２９の後端部を容易に越えさせて切断部８に確実に受け継ぐことができるようにしている。
【００５７】
また、グレンシーブ３３の下方には、流し板７３が設けられている。流し板７３は、グレンシーブ３３から漏下した単粒化穀粒を受けて一番回収部２７側に流す。流し板７３の後端部は、図７に示すΔＬだけ、グレンシーブ３３の後端部より後方に配置されている。これにより、グレンシーブ３３から漏下した単粒化穀粒を、流し板７３で確実に受けて一番回収部２７側に流すことができるようにしている。
【００５８】
図８に示すように、扱胴１１の回転軸１１ａの後端部には、軸受部７４が取り付けられている。軸受部７４は、鋳物によって構成されている。軸受部７４は、ボルト７５によって後取付板１６に固定されている。扱胴１１の回転軸１１ａの後端部と軸受部７４とは、インロー嵌合によって芯出しするようにしている。
【００５９】
図９に示すように、駆動機構３５の揺動軸３５ａには、略コ字状に形成されたステー７６の両端部が固定されている。ステー７６をジャッキボルト７７によってシーブケース２９に固定して、着脱の容易化を図っている。
【００６０】
次に、排出口６０及び流出口６１について、図１０により説明する。
【００６１】
図１０に示すように、扱胴１１の後方には、排出口６０及び流出口６１が設けられている。また、脱穀処理物を排出口６０に案内するとともに、唐箕２０の選別風を流出口６１に案内する、詳しくは後述する「案内部材」としての案内板６３が備えられている。案内板６３を挟んで、前側に排出口６０が配置され、後側に流出口６１が配置されている。
【００６２】
排出口６０は、脱穀処理物を排出する排出口６０は、下方に向いて開口するように構成されている。排出口６０は、平面視において機体左右方向に長い略矩形状に開口するように構成されている。排出口６０の下方には、脱穀処理物を切断するチョッパ等の切断装置６２が備えられている。
【００６３】
切断装置６２は、固定刃６２ａと、回転刃６２ｂと、を備えている。切断装置６２は、固定刃６２ａと回転刃６２ｂとで脱穀処理物を挟んで切断するように構成されている。
【００６４】
流出口６１は、唐箕２０の選別風が流出する、排出口６０とは別のものである。流出口６１は、下方に向いて開口するように構成されている。流出口６１は、平面視において機体左右方向に長い略矩形状に開口するように構成されている。流出口６１は、脱穀部６における機体左右方向の全長に亘るように構成されている。流出口６１は、排出口６０の上方に配置されている。つまり、流出口６１は、切断装置６２の上方に配置されている。また、流出口６１は、揺動選別装置２３に備えられたシーブケース２９の上方に配置されている。流出口６１の開口面積は、排出口６１の開口面積よりも小さくなるように構成されている。
【００６５】
案内板６３は、側面視において中央側部分が上方に突出する略へ字状に形成されているように屈曲された形状とされている。案内板６３は、中央側部分よりも前側部分の前案内部６３ａと、中央側部分よりも後側部分の後案内部６３ｂと、を備えている。前案内部６３ａは、前下がりの斜めに形成されて脱穀処理物を排出口６０に案内する。後案内部６３ｂは、後下がりの斜めに形成されて唐箕２０の選別風を流出口６１に案内する。
【００６６】
以上のような構成により、本実施形態に係るコンバインでは、流出口６１に向かって流れる唐箕２０の選別風Ａに対して、排出口６０付近の脱穀処理物が障害になり難い。したがって、流出口６１から唐箕２０の選別風Ａが容易に流出することができる。また、排出口６０から排出された脱穀処理物に対して、流出口６１から流出した唐箕２０の選別風Ａが直接的にかからない。したがって、排出口６０から排出された脱穀処理物に唐箕２０の選別風Ａがかかることによる、脱穀処理物の舞い上がりを低減することができる。
【００６７】
以下、本発明に係る別実施形態について説明する。
【００６８】
扱胴１１は、籠型（バータイプ）に構成されているが、「扱胴」は、これに限定されない。例えば、「扱胴」は、ドラム型（板材によって略円筒状の部材を形成し、その円筒外周面に多数の扱歯を設けたもの）に構成されていてもよい。
【産業上の利用可能性】
【００６９】
本発明は、扱胴と、扱胴による脱穀処理物に選別風を供給する唐箕と、扱胴の後方で扱胴による脱穀処理物を排出する排出口と、を備える普通型コンバインに利用可能である。
【符号の説明】
【００７０】
６  脱穀部
１１  扱胴
１１ａ  回転軸
２０  唐箕
２３  揺動選別装置
２９  シーブケース
６０  排出口
６１  流出口
６２  切断装置
６３  案内板（案内部材）
６３ａ  前案内部
６３ｂ  後案内部
【図１】
2013183656.tif 000003
【図２】
2013183656.tif 000004
【図３】
2013183656.tif 000005
【図４】
2013183656.tif 000006
【図５】
2013183656.tif 000007
【図６】
2013183656.tif 000008
【図７】
2013183656.tif 000009
【図８】
2013183656.tif 000010
【図９】
2013183656.tif 000011
【図１０】
2013183656.tif 000012